(57)【要約】【課題】部品点数を増加することなく、簡単な構成で回転操作による入力を可能とすることで、部品点数を増加することなく、簡単な構成で回転操作による入力を可能とし、操作者の意図しない操作部への入力を低減する。【解決手段】回転操作が可能な操作部材（７１）と、操作部材（７１）を回転させる回転操作を検出する回転検出手段（７３ｄ、７５）と、操作部材（７１）への接触操作を検出する接触検出手段（７４）と、を有し、制御手段（５０）が、接触検出手段（７４）の検出結果に応じて、回転検出手段（７３ｄ、７５）により検出された回転操作を有効にするか否かを切り換える。【選択図】図４
2010192223.tif 000002
【特許請求の範囲】
【請求項１】
回転操作が可能な操作部材を備える電子機器であって、
前記操作部材を回転させる回転操作を検出する回転検出手段と、
前記操作部材への接触操作を検出する接触検出手段と、
前記接触検出手段の検出結果に応じて、前記回転検出手段により検出された前記回転操作を有効にするか否かを切り換える制御手段と、を有することを特徴とする電子機器。
【請求項２】
前記制御手段は、前記接触検出手段により前記接触操作を検出している場合に、前記回転操作を有効にすることを特徴とする請求項１に記載の電子機器。
【請求項３】
前記制御手段は、前記接触検出手段により前記接触操作を連続的に検出している場合に、前記回転操作を有効にすることを特徴とする請求項１又は２に記載の電子機器。
【請求項４】
前記接触検出手段は、前記操作部材の直下に配置されることを特徴とする請求項１ないし３のいずれか１項に記載の電子機器。
【請求項５】
前記接触操作よりも押圧力の大きい前記操作部材への押圧操作を検出する押圧検出手段を有し、
前記制御手段は、前記接触検出手段により前記接触操作が検出された前記操作部材の位置に対応した機能を示す情報を表示装置に表示させ、前記押圧検出手段により前記押圧操作が検出された前記操作部材の位置に対応した機能を前記電子機器に実行させることを特徴とする請求項１ないし４のいずれか１項に記載の電子機器。
【請求項６】
前記押圧検出手段は、前記接触検出手段の直下に配置されることを特徴とする請求項５に記載の電子機器。
【発明の詳細な説明】
【技術分野】
【０００１】
本発明は電子機器に関するものであって、特に回転操作により操作を行う操作部を有する電子機器に関するものである。
【背景技術】
【０００２】
近年、撮像素子から出力される画像信号・画像情報等をデータファイルとして記録する電子撮像装置が広く普及している。電子撮像装置（以降、デジタルカメラとする）は、撮像素子から光電変換によって得られた画像データ、例えばＪＰＥＧ等のファイル形式の画像データに圧縮処理が施されている。このようなデジタルカメラは、小型化が進む一方で、機器本体に大型の液晶表示装置（以降、ＬＣＤとする）の搭載が望まれている。そのため、デジタルカメラ背面側に設けられるＬＣＤと操作入力装置の配置スペースが少なく、配置するのが難しくなってきている。また、装置の機能が増加・複雑化し、一操作入力装置に多入力できるデバイスの必要性も高まっている。そのため、多入力デバイスを用いても、操作が煩雑であったり、誤入力も多く、操作者に負担のかかるものが多かった。
【０００３】
そこで、例えば特許文献１では、回転操作される回転操作部材と、この回転操作部材を包囲するように配置された複数の接点と、回転操作部材を包囲するように配置され、複数の接点を押圧するための環状の操作部材を備えた入力装置が提案されている。
【先行技術文献】
【特許文献】
【０００４】
【特許文献１】特開２００８−１１７６８３号公報
【発明の概要】
【発明が解決しようとする課題】
【０００５】
しかしながら、特許文献１で提案された入力装置は、回転ダイヤルを回した後に指を離した際に回転ダイヤルのオーバーラン（所望の位置よりも回り過ぎること）が生じる場合や、指を離した位置・方向が回転方向に逆らった場合に逆回転が生じる場合がある。そのような場合、操作者の意図しない入力が行われてしまうという問題があった。
【０００６】
本発明はかかる実情に鑑み、部品点数を増加することなく、簡単な構成で回転操作による入力を可能とすることで、操作者の意図しない操作部への入力を低減することを目的とする。
【課題を解決するための手段】
【０００７】
上述の課題を解決し、目的を達成するために本発明にかかる電子機器は、回転操作が可能な操作部材を備える電子機器であって、前記操作部材を回転させる回転操作を検出する回転検出手段と、前記操作部材への接触操作を検出する接触検出手段と、前記接触検出手段の検出結果に応じて、前記回転検出手段により検出された前記回転操作を有効にするか否かを切り換える制御手段と、を有することを特徴とする。
【発明の効果】
【０００８】
本発明によれば、操作者の意図しない操作部への入力を低減することができる
【図面の簡単な説明】
【０００９】
【図１】本発明に係る電子機器としての撮像装置の外観図である。
【図２】本発明に係る撮像装置の構成を示すブロック図である。
【図３】本発明に係る撮像装置の操作部の斜視図である。
【図４】本発明に係る撮像装置の操作部の断面図である。
【図５】本発明に係る撮像装置の操作部内のフレキシブルプリント基板の斜視図である。
【図６】本発明に係る撮像装置の操作部内のメンブレンスイッチ構造例を示す図である。
【発明を実施するための形態】
【００１０】
以下、図面に基づき、本発明に係る電子機器の実施の形態を説明する。なお、以下に説明する実施の形態は、本発明の実現手段としての一例であり、本発明はその趣旨を逸脱しない範囲で下記実施形態を修正又は変形したものに適用可能である。
図１は、本発明に係る電子機器としての撮像装置の外観図であり、図１（ａ）は正面斜視図、図１（ｂ）は背面斜視図である。１は撮像装置本体であり、撮影を可能とする部材、例えば光学像を光電変換して画像データを生成するＣＣＤやＣＭＯＳイメージセンサ等の撮像素子（不図示）等が回路基板に実装されている。外装カバーとして、本実施の形態では三枚カバーとしており、前側カバー２、中側カバー３、後側カバー４で構成されている。被写体側（以下、前面とする）部には、被写体像を撮像素子に結像する沈胴式の光学系撮影レンズ鏡筒５が固定されている。
【００１１】
撮像装置本体１の右上に撮影時に光量が足りない時等に、必要に応じて発光するストロボ発光窓６が設けられている。撮像装置の非被写体側（以下、背面とする）部には、液晶表示装置（ＬＣＤ）７があり、撮像する被写体像の確認や、撮像された画像の再生表示に用いられる。
【００１２】
８はシャッターボタンであり、２段階の押圧操作が可能となっている。このシャッターボタン８を半押し操作すると、撮影準備動作（測光動作や測距動作等）が開始される。また、全押し操作すると被写体が撮影され、後述する記録媒体に被写体像の画像データが記録される。９は電源となる主電池（使い切り式一次電池のほかに充電式電池も含む）及び撮影された被写体像が記録される記録媒体を収納する収納室を開閉可能とする蓋部材である。この蓋部材９を開くことによって、収納室開口部が開き状態となって各々の挿脱が可能になる。
【００１３】
１０はモード設定レバーであり、撮像装置本体１に対してスライド可能に支持されている。モード設定レバー１０の近傍には、各種の撮影モードに応じた複数のマーク（不図示）が印刷されている。このマークにモード設定レバー１０の指標を合わせることで、マークに応じた撮影モードの設定を行うことができる。１１は電源・信号の入出力用ジャック保護用のカバー部材であり、これを開状態とすると、電源・信号の入出力用ジャックへの各種ケーブル類の抜き差しが可能となる。７０は撮像装置機能を指示する際に利用する複数の操作ボタンからなる操作部である。
【００１４】
また、図示しないが、本実施形態の撮像装置は主基板と補助基板、２枚の大型基板から構成されている。例えば主基板には、カードＩ／Ｆ等を含む記録媒体スロットや撮像部、画像処理部、システム制御部、ＬＣＤ表示部、シリアルＩ／Ｆ、シリアル接続端子等が実装されている。また補助基板には、電源供給切換回路、ＤＣ／ＤＣコンバータ、操作ＳＷ、ビデオＩ／Ｆ、ビデオ接続端子、外部電源入力端子等が実装されている。
【００１５】
図２は、本発明に係る撮像装置の一例としてのデジタルカメラ１００の構成例を示すブロック図である。１０３は撮影レンズ、１０１は絞り機能を備えるシャッター、２２は光学像を電気信号に変換するＣＣＤやＣＭＯＳ素子等で構成される撮像部である。２３はアナログ信号をデジタル信号に変換するＡ／Ｄ変換器であり、撮像部２２から出力されるアナログ信号をデジタル信号に変換する場合に用いられる。また、音声制御部１１から出力されるアナログ信号をデジタル信号に変換する場合にも用いられる。バリア１０２は、デジタルカメラ１００の撮影レンズ１０３を覆うことにより、撮影レンズ１０３の汚れや破損を防止する。
【００１６】
１２は撮像部２２、音声制御部１１、Ａ／Ｄ変換器２３、Ｄ／Ａ変換器１３にクロック信号や制御信号を供給するタイミング発生部であり、メモリ制御部１５及びシステム制御部５０により制御される。２４は画像処理部であり、Ａ／Ｄ変換器２３からのデータ又はメモリ制御部１５からのデータに対し所定の画素補間、縮小といったリサイズ処理や色変換処理を行う。画像処理部２４ではまた、撮像した画像データを用いて所定の演算処理を行い、得られた演算結果に基づいてシステム制御部５０が露光制御、測距制御を行う。これによりＴＴＬ（スルー・ザ・レンズ）方式のＡＦ（オートフォーカス）処理、ＡＥ（自動露出）処理、ＥＦ（フラッシュプリ発光）処理が行われる。画像処理部２４では更に、撮像した画像データを用いて所定の演算処理を行い、得られた演算結果に基づいてＴＴＬ方式のＡＷＢ（オートホワイトバランス）処理も行っている。
【００１７】
Ａ／Ｄ変換器２３からの出力データは、画像処理部２４及びメモリ制御部１５を介して、或いは直接メモリ制御部１５を介して、メモリ３２に書き込まれる。メモリ３２は、マイク１０４において録音された音声データ、撮影した静止画像や動画像及び画像ファイルを構成する場合の、ファイルヘッダを格納するためのメモリである。メモリ３２は、所定枚数の静止画像や所定時間の動画像及び音声を格納するのに十分な記憶容量を備えている。
【００１８】
１６は適応離散コサイン変換（ＡＤＣＴ）等により画像データを圧縮伸張する圧縮・伸張部であり、シャッター１０１をトリガにしてメモリ３２に格納された撮影画像を読み込んで圧縮処理を行い、処理を終えたデータをメモリ３２に書き込む。また、記録部１９などからメモリ３２に読み込まれた圧縮画像を読み込んで伸張処理を行い、処理を終えたデータをメモリ３２に書き込む。圧縮・伸張部１６によりメモリ３２に書き込まれた画像データは、システム制御部５０のファイル部においてファイル化され、インターフェース１８を介して記録媒体２００に記録される。また、メモリ３２は画像表示用のメモリを兼ねている。１３はＤ／Ａ変換器、２８はＬＣＤ等からなる画像表示部であり、メモリ３２に書き込まれた表示用の画像データはＤ／Ａ変換器１３を介して画像表示部２８により表示される。
【００１９】
１０４はマイクである。マイクから出力された音声信号は、アンプ等で構成される音声制御部１１を介してＡ／Ｄ変換器２３においてデジタル信号に変換された後、メモリ制御部１５によってメモリ３２に格納される。一方、記録媒体２００に記録されている音声データは、メモリ３２に読み込まれた後、Ｄ／Ａ変換器１３を介し音声制御部１１において制御された信号がスピーカー１３９において発音される。
【００２０】
不揮発性メモリ５６は、電気的に消去・記録可能なメモリであり、例えばＥＥＰＲＯＭ等が用いられる。システム制御部５０の動作用の定数、プログラム等を記憶する。
５０はデジタルカメラ１００全体を制御するシステム制御部である。５２はシステム制御部５０の動作用の定数、変数、不揮発性メモリ５６から読み出したプログラム等を展開するシステムメモリである。
【００２１】
６０はモード設定レバーであり、システム制御部５０の動作モードを静止画記録モード、動画記録モード、再生モード等のいずれかに切り替えることができる。第１シャッターボタン（ＳＷ１）６２は、デジタルカメラ１００に設けられたシャッターボタン８の操作途中（半押し）でＯＮとなり、ＡＦ処理、ＡＥ処理、ＡＷＢ処理、ＥＦ処理等の動作開始を指示する。第２シャッターボタン（ＳＷ２）６４は、シャッターボタン８の操作完了（全押し）でＯＮとなり、撮像部２２からの信号読み出しから記録媒体２００に画像データを書き込むまでの一連の撮像処理の動作開始を指示する。
【００２２】
操作部７０の各操作ボタンは、画像表示部２８に表示される種々の機能アイコンを選択操作することなどにより、場面ごとに適宜機能が割り当てられ、各種機能ボタンとして作用する。機能ボタンとしては例えば終了ボタン、戻るボタン、画像送りボタン、ジャンプボタン、絞込みボタン、属性変更ボタン等がある。例えばメニューボタンが押されると各種設定が可能なメニュー画面が画像表示部２８に表示される。操作者は、画像表示部２８に表示されたメニュー画面と、十字ボタンやＳＥＴボタンとを用いて直感的に各種設定を行うことができる。電源スイッチ７８は、電源オン、電源オフを切り替える。３９は電源制御部で、電池検出回路、ＤＣ−ＤＣコンバータ、通電するブロックを切り替えるスイッチ回路等により構成され、電池の装着の有無、電池の種類、電池残量の検出を行う。また、検出結果及びシステム制御部５０の指示に基づいてＤＣ−ＤＣコンバータを制御し、必要な電圧を必要な期間、記録媒体２００を含む各部へ供給する。３０はアルカリ電池やリチウム電池等の一次電池やＮｉＣｄ電池やＮｉＭＨ電池、Ｌｉ電池等の二次電池、ＡＣアダプター等からなる電源部である。３３及び３４はコネクタであり、電源部３０と電源制御部３９とを接続する。
【００２３】
４０はＲＴＣ(Real Time Clock)であり、電源制御部３９とは別に内部に電源部を保持し、電源部３０が落ちた状態であっても、時計動作状態を続けている。システム制御部５０は起動時にＲＴＣ４０より取得した日時を用いてタイマー制御する。
１８はメモリカードやハードディスク等の記録媒体２００とのインターフェースであり、３５は該記録媒体２００とインターフェース１８との接続のためのコネクタである。９８はコネクタ３５に記録媒体２００が装着されているか否かを検知する記録媒体着脱検知部である。
【００２４】
２００はメモリカードやハードディスク等の記録媒体である。記録媒体２００は、半導体メモリや磁気ディスク等から構成される記録部１９、デジタルカメラ１００とのインターフェース３７、及び記録媒体２００とデジタルカメラ１００とを接続するためのコネクタ３６を備えている。通信部１１０は、ＲＳ２３２ＣやＵＳＢ、ＩＥＥＥ１３９４、Ｐ１２８４、ＳＣＳＩ、モデム、ＬＡＮ、無線通信等の各種通信処理を行う。コネクタ（無線通信の場合はアンテナ）１１２は、通信部１１０を介してデジタルカメラ１００を他の機器と接続する。
【００２５】
図３は、本発明に係る撮像装置の操作部７０の斜視図である。操作部７０は、操作部材としての回転ダイヤル７１の中央にセンターボタン７２を備えている。回転ダイヤル７１は押圧操作と回転操作が可能な構成であり、その操作面（上表面）には回転中心から同心円周上で等間隔に複数の凹凸部７１aが設けられる。図３における回転ダイヤル７１の上方と下方には、金属ドーム７３b、７３cが実装されており、例えばデジタルカメラで通常使用する再生ボタンやメニューボタンなどに用いられる。
【００２６】
回転ダイヤル７１及びセンターボタン７２は、後述する操作ベース７７に保持され、本体取り付けプレート７６との間に操作フレキシブル配線基盤７３を挟み込みユニット化している。７４はメンブレンスイッチであり、ユニット内から露出させている。なお、回転ダイヤル７１には回転のクリック溝（図示しない）が設けられ、操作ベース７７に保持されたクリック板バネ（図示しない）によって回転クリック力を発生させている。
【００２７】
図４は、本発明に係る撮像装置の操作部７０の断面図である。回転ダイヤル７１及びセンターボタン７２は操作ベース７７に揺動可能に保持されている。即ち、回転ダイヤル７１の周方向の任意の位置を押圧あるいは押下げると、その径方向の対向側の位置が上がるように揺動する。操作フレキシブル配線基盤７３上には、回転ダイヤル７１又はセンターボタン７２を押圧した際に、この押圧操作を検出する押圧検出手段としての金属ドーム７３aが実装されている。なお、回転ダイヤル７１は、上下左右に４箇所に金属ドーム７３aが配置されており、十字ボタンとしても機能する。金属ドーム７３aの頂点には、組み付けによる押し感のバラツキを低減するための、即ちスウィートスポットを広げるアクチュエーター７３aaが取り付けられている。回転ダイヤル７１に取り付けられた可動金属ブラシ７５は、操作フレキシブル配線基盤７３上に備えられたエンコーダー用接点７３dに接触している。操作フレキシブル配線基盤７３上に備えられたエンコーダー用接点７３dは、回転ダイヤル７１と同心円上に周方向に等間隔でパターンが形成される。
【００２８】
回転ダイヤル７１に取り付けられた可動金属ブラシ７５が、上記パターン上を摺動することで、例えばＡ相用接点からＢ相用接点に移動した際にロータリーエンコーダーの回転検出が出力される。本実施の形態は、可動金属ブラシ７５と操作フレキシブル配線基盤７３上に備えられたエンコーダー用接点７３dで回転ダイヤル７１の回転を検出しているが、例えば回転ダイヤル７１内に設けた環状のマグネットをホールＩＣにて回転検出してもよい。回転ダイヤル７１、センターボタン７２と金属ドーム７３aの間には、回転ダイヤル７１への接触操作を検出する接触検出手段としてのメンブレンスイッチ７４が配設されている。メンブレンスイッチ７４は、操作フレキシブル配線基盤７３と一体形成されていても別体でもよい。なお、接触操作は、押圧操作に比べて操作力（押圧力あるいは押下げ力）が小さい操作であり、金属ドーム７３aでは検出されないような操作のことを示すものとする。接触操作は、例えば、回転ダイヤル７１への回転操作中のように押下方向への操作力が小さい操作、あるいは、回転ダイヤル７１に指を軽く触れた程度の操作力の操作などのことを示す。
【００２９】
図５は、本発明に係る撮像装置の操作部７０内のフレキシブルプリント基板の斜視図である。回転ダイヤル７１の対応部位には、メンブレンスイッチ７４が操作フレキシブル配線基盤７３から折り返して一体に構成されている。一体形成される場合は、操作フレキシブル配線基盤７３にメンブレンスイッチ７４をＡＣＦ（導電性を有した接着処理）又は導電テープで接続される。
【００３０】
図６は、本発明に係る撮像装置の操作部７０内のメンブレンスイッチ７４の構造例を示す図である。メンブレンスイッチ７４の裏側において、粘着テープ７４a、下部接点シート７４b、スペーサ７４c、上部接点シート７４dを有する。メンブレンスイッチ７４の裏側の粘着テープ７４aは、操作フレキシブル配線基盤７３に接続するために用いられ、導電性となる。上部接点シート７４dと下部接点シート７４bは、主にポリエステルフィルムに導電インクが印刷されている。導電インクには、金メッキされた銅パターンやカーボンコートされた銀パターン等が用いられる。
【００３１】
操作者が回転ダイヤル７１を操作するために回転ダイヤル７１を押圧すると、上部接点シート７４dの導電接点７４eと下部接点シート７４bの導電接点７４fが接触して導通し、回転ダイヤル７１に対して操作が行われることを検出する。スペーサ７４cは、上部接点シート７４dと下部接点シート７４bを絶縁するもので板厚１００μｍ程度のポリエステルフィルムで構成され、接点印刷部の直上を押圧することで導通するという構造をとっている。メンブレンスイッチ７４は、主にこのスペーサ７４cの板厚を変更することで調整することができる。なお、本実施の形態では、操作者が回転ダイヤル７１を回転操作する際の回転ダイヤル７１への押圧力あるいは押下げ力でも、メンブレンスイッチ７４での検出が行えるように調整している。
【００３２】
上記の構成のように、回転ダイヤル７１の直下には、第一の操作力（押圧力あるいは押下げ力）で作用する金属ドーム７３aと、第一の操作力よりも小さい第二の操作力で作用するメンブレンスイッチ７４が配設される。すなわち、メンブレンスイッチ７４は前述した回転ダイヤル７１への接触操作を検出し、金属ドーム７３aは前述した回転ダイヤル７１への押圧操作（接触操作より操作力の大きい操作）を検出する。そして、それらが同一の押下位置で作用するように構成され、システム制御部５０は、メンブレンスイッチ７４の出力状態により、回転ダイヤル７１への回転操作を有効にするか否かを切り換えるように制御する。なお、以下では、メンブレンスイッチ７４の出力を検出している時に回転操作を有効にするように制御する場合について説明する。
【００３３】
例えば、回転ダイヤル７１を回した後に指を離した際に回転ダイヤル７１のオーバーランが発生した場合（所望の位置よりも回り過ぎること）、あるいは指を離した位置・方向が回転方向に逆らった場合を考える。これらの場合、指を離したのと実質的に同時にメンブレンスイッチ７４の導電接点７４eと導電接点７４fの導通が解かれ、メンブレンスイッチ７４の出力検出がなくなる。このとき金属ドーム７３aの出力が検出されていたとしても、その検出信号はキャンセルされ、これにより逆回転の発生による問題を未然に防止することができる。即ち、操作者の意図しない撮影条件・再生画像が選択されてしまう等の選択ミスが軽減され、軽快且つ好適な回転入力操作が可能となる。
【００３４】
また、メンブレンスイッチ７４の連続的出力変化が発生した（接触操作を連続的に検出している）時に回転操作を有効にするように制御してもよく、以下では、そのような場合について説明する。例えば、回転ダイヤル７１の十字ボタンのみを操作した際に、回転ダイヤル７１を若干回転させてしまった場合を考える。回転ダイヤル７１の僅かな回転量では、回転ダイヤル７１の出力の検出はキャンセルされ、この場合も操作者の意図しない操作は無効にされる。なお、回転ダイヤル７１が上下左右方向の押圧及び回転を一体で検知する構成であっても、それぞれ独立した操作が可能となり、軽快且つ好適な操作入力を提供することができる。
【００３５】
また、回転ダイヤル７１の直下に十字ボタンが構成されているため、十字ボタンの代わりに回転ダイヤル７１の外側もしくは内側に環状の操作部材を配置する必要がなくなる。そのため、操作ユニットの小径化、そしてデジタルカメラ等の電子機器の小型化に寄与することができる。更に、外観部品の削減によりコスト低減の効果を得ることができる。
【００３６】
また、メンブレンスイッチ７４は回転ダイヤル７１の直下に配置され、連続的に回転検出されているか判別可能であるが、連続的に回転検出が可能な所謂、軽タッチセンサであれば他の部材であってもよい。例えば、静電容量抵抗体、感圧シート等である。また、金属ドーム７３aが二段式のスイッチとなっており、一段目のスイッチが軽荷重（メンブレンスイッチ７４に対する第二の操作入力と同程度の大きさ）で入力可能な構成となっていてもよい。
【００３７】
連続的回転検出については、所定時間以上軽タッチセンサが反応しなければ、例えば０．１ｓｅｃ以上軽タッチセンサが反応しなければ回転の検出はキャンセルされるように制御すればよい。すなわち、０．１ｓｅｃ未満の操作時間では、操作者が意図した操作に該当しないものとする。このような構成であれば、十字ボタンのみを操作した際に、回転ダイヤル７１を若干回転させてしまったとしても、回転ダイヤル７１の検出はキャンセルされる。回転ダイヤル７１が上下左右方向の押圧及び回転を一体で検知する構成であっても、それぞれ独立した操作が可能となり、軽快かつ好適な操作入力を提供することができる。
【００３８】
また、システム制御部５０が、メンブレンスイッチ７４の出力により、金属ドーム７３aが押圧されることで実行される機能を示す情報を画像表示部２８に表示するようにしてもよい。これにより、回転ダイヤル７１の周辺に金属ドーム７３aによって作動する機能のアイコンを印刷する必要がなくなり、コスト削減・デジタルカメラ等の電子機器の小型化に貢献することができる。
【００３９】
更に、回転ダイヤル７１の操作面には複数の凹凸部７１aを設け、これにより回転ダイヤル７１に対する指掛かりが向上し、更なる操作性の向上を図ることができる。
【００４０】
なお、上記実施の形態においてデジタルカメラの例で説明したが、本発明の構成はビデオカメラ、携帯電話等、様々な操作入力装置を用いる電子機器に対しても適用可能であり、上記実施の形態の場合と同様な作用効果を得ることができる。
【符号の説明】
【００４１】
７０  操作部
７１  回転ダイヤル
７２  センターボタン
７３  操作フレキシブル配線基盤
７４  メンブレンスイッチ
７５  可動金属ブラシ
７６  本体取り付けプレート
７７  操作ベース
【図１】
2010192223.tif 000003
【図２】
2010192223.tif 000004
【図３】
2010192223.tif 000005
【図４】
2010192223.tif 000006
【図５】
2010192223.tif 000007
【図６】
2010192223.tif 000008